(57)【要約】【課題】端子から受ける力が蓄積されて大きくなることがなく、構造が簡素で、コストが低く、耐久性が高くなるようにする。【解決手段】縦方向に延在する端子ユニットが縦方向と直交する横方向に複数並んだ端子ユニットアセンブリと、端子ユニットアセンブリを収容するアセンブリ収容凹部を含む枠部材とを備え、端子ユニットは、縦方向に延在する端子保持部と、端子保持部に保持される本体部、端子ユニットの上面よりも上方又は下面よりも下方に突出する接触部及び本体部と接触部とを連結する接触腕部を含む複数の端子と、縦方向に延在する側壁部であって、接触腕部と当接可能な複数の当接部を有し、端子保持部の横方向に隣接して配設された側壁部とを含み、接触部が横方向及び縦方向と直交する上下方向の力を受けると、側壁部は縦方向の一方へ向いた力を受ける。【選択図】図１
2019009030.tif 000002
【特許請求の範囲】
【請求項１】
（ａ）縦方向に延在する端子ユニットが前記縦方向と直交する横方向に複数並んだ端子ユニットアセンブリと、該端子ユニットアセンブリを収容するアセンブリ収容凹部を含む枠部材とを備え、
（ｂ）前記端子ユニットは、前記縦方向に延在する端子保持部と、該端子保持部に保持される本体部、前記端子ユニットの上面よりも上方又は下面よりも下方に突出する接触部及び前記本体部と接触部とを連結する接触腕部を含む複数の端子と、前記縦方向に延在する側壁部であって、前記接触腕部と当接可能な複数の当接部を有し、前記端子保持部の横方向に隣接して配設された側壁部とを含み、
（ｃ）前記接触部が前記横方向及び縦方向と直交する上下方向の力を受けると、前記側壁部は前記縦方向の一方へ向いた力を受けることを特徴とするソケット。
【請求項２】
前記横方向に隣接して並んだ一対の端子ユニットにおいて、第１の端子ユニットの側壁部が前記縦方向の一方へ向いた力を受けると、第２の端子ユニットの側壁部は前記縦方向の他方へ向いた力を受ける請求項１に記載のソケット。
【請求項３】
前記横方向に隣接して並んだ一対の端子ユニットにおいて、第１の端子ユニットの端子保持部が前記縦方向の他方へ向いた力を受けると、第２の端子ユニットの端子保持部は前記縦方向の一方へ向いた力を受ける請求項１に記載のソケット。
【請求項４】
前記端子保持部の両端には、前記枠部材に係止される係止部が形成され、前記側壁部の両端には、前記枠部材に当接する当接面が形成され、前記端子保持部が受ける縦方向の力、及び、前記側壁部が受ける縦方向の力は、前記枠部材によって受止められる請求項１〜３のいずれか１項に記載のソケット。
【請求項５】
前記枠部材は、上枠部材及び下枠部材を含み、前記端子保持部が受ける縦方向の力は下枠部材によって受止められ、前記側壁部が受ける縦方向の力は上枠部材によって受止められる請求項４に記載のソケット。
【請求項６】
前記接触腕部は、前記縦方向の一方へ斜めに向って本体部から延出する内腕部と、該内腕部の先端に接続された曲部と、前記縦方向の他方へ斜めに向って前記曲部から接触部まで延出する外腕部とを含み、前記接触部が前記横方向及び縦方向と直交する上下方向の力を受けると、前記曲部が対応する当接部に当接する請求項１〜５のいずれか１項に記載のソケット。
【請求項７】
前記曲部の前記対応する当接部と反対側には、前記内腕部、曲部及び外腕部に周囲を画定された腕曲空間部が形成され、該腕曲空間部内に前記縦方向の他方側に隣接する接触腕部の曲部に対応する当接部が収容される請求項６に記載のソケット。
【発明の詳細な説明】
【技術分野】
【０００１】
本開示は、ソケットに関するものである。
【背景技術】
【０００２】
従来、ＩＣ、ＬＳＩ等の半導体装置であってＰＧＡタイプの端子を備えるものは、ＩＣテスターによって試験をするような場合、プリント配線板等の回路基板に接続される。その際に、半導体装置の端子が、前記回路基板に取付けられたソケットを介して、回路基板の導電トレースに電気的に接続されるようになっている（例えば、特許文献１参照。）。
【０００３】
図１１は従来のソケットの要部断面図である。
【０００４】
図において、８１１は、半導体装置を回路基板に接続するために使用されるソケットのハウジングであり、樹脂等の絶縁性材料から形成された板状の部材であって、複数の端子収容室８１３が形成されている。隣接する端子収容室８１３同士は、斜めになった傾斜壁８１４によって仕切られている。
【０００５】
各端子収容室８１３内には、端子８６１が収容されている。該端子８６１は、円弧状部８６３と、該円弧状部８６３から斜め上方に延出する第１腕部８６４と、前記円弧状部８６３から斜め下方に延出する第２腕部８６２とを有する。そして、前記第１腕部８６４の上端にはハウジング８１１の上面よりも上方に突出する第１接触部８６４ａが形成され、前記第２腕部８６２の下端にはハウジング８１１の下面よりも下方に突出する第２接触部８６２ａが形成されている。また、前記円弧状部８６３は、傾斜壁８１４の下部に形成された段部８１５内に位置する。
【０００６】
前記ソケットを使用して半導体装置を回路基板に接続すると、図示されない半導体装置の下面に露出する端子が上から第１接触部８６４ａに押付けられ、図示されない回路基板の上面に露出する端子が下から第２接触部８６２ａに押付けられる。前記第１接触部８６４ａが上から押されると、第１腕部８６４が円弧状部８６３を基点として時計回り方向に弾性的に変形するので、前記第１接触部８６４ａは右斜め下方に弾性的に変位する。また、前記第２接触部８６２ａが下から押されると、第２腕部８６２が円弧状部８６３を基点として反時計回り方向に弾性的に変形するので、前記第２接触部８６２ａは右斜め上方に弾性的に変位する。これにより、前記第１接触部８６４ａ及び第２接触部８６２ａは、半導体装置と回路基板の端子との接触状態を確実に維持することができる。
【先行技術文献】
【特許文献】
【０００７】
【特許文献１】特開２０１５−１３３３３２号公報
【発明の概要】
【発明が解決しようとする課題】
【０００８】
しかしながら、前記従来のソケットにおいては、第１接触部８６４ａが右斜め下方に変位し、第２接触部８６２ａが右斜め上方に変位するので、円弧状部８６３は、その反力を受け、段部８１５の側壁８１６を左方へ押圧する力を発揮する。その結果、ハウジング８１１は、端子８６１から左方への荷重を受けることとなる。個々の端子８６１から受ける荷重が小さくても、端子８６１の数が多い場合、すべての端子８６１から受ける荷重の合計は、かなり大きなものとなる。そのため、ハウジング８１１を保持する図示されない保持部材が変形したり破損したりする可能性があり、ハウジング８１１自体が変形したり破損したりする可能性もある。
【０００９】
ここでは、前記従来の問題点を解決して、端子から受ける力が蓄積されて大きくなることがなく、構造が簡素で、コストが低く、耐久性の高いソケットを提供することを目的とする。
【課題を解決するための手段】
【００１０】
そのために、ソケットにおいては、縦方向に延在する端子ユニットが前記縦方向と直交する横方向に複数並んだ端子ユニットアセンブリと、該端子ユニットアセンブリを収容するアセンブリ収容凹部を含む枠部材とを備え、前記端子ユニットは、前記縦方向に延在する端子保持部と、該端子保持部に保持される本体部、前記端子ユニットの上面よりも上方又は下面よりも下方に突出する接触部及び前記本体部と接触部とを連結する接触腕部を含む複数の端子と、前記縦方向に延在する側壁部であって、前記接触腕部と当接可能な複数の当接部を有し、前記端子保持部の横方向に隣接して配設された側壁部とを含み、前記接触部が前記横方向及び縦方向と直交する上下方向の力を受けると、前記側壁部は前記縦方向の一方へ向いた力を受ける。
【００１１】
他のソケットにおいては、さらに、前記横方向に隣接して並んだ一対の端子ユニットにおいて、第１の端子ユニットの側壁部が前記縦方向の一方へ向いた力を受けると、第２の端子ユニットの側壁部は前記縦方向の他方へ向いた力を受ける。
【００１２】
更に他のソケットにおいては、さらに、前記横方向に隣接して並んだ一対の端子ユニットにおいて、第１の端子ユニットの端子保持部が前記縦方向の他方へ向いた力を受けると、第２の端子ユニットの端子保持部は前記縦方向の一方へ向いた力を受ける。
【００１３】
更に他のソケットにおいては、さらに、前記端子保持部の両端には、前記枠部材に係止される係止部が形成され、前記側壁部の両端には、前記枠部材に当接する当接面が形成され、前記端子保持部が受ける縦方向の力、及び、前記側壁部が受ける縦方向の力は、前記枠部材によって受止められる。
【００１４】
更に他のソケットにおいては、さらに、前記枠部材は、上枠部材及び下枠部材を含み、前記端子保持部が受ける縦方向の力は下枠部材によって受止められ、前記側壁部が受ける縦方向の力は上枠部材によって受止められる。
【００１５】
更に他のソケットにおいては、さらに、前記接触腕部は、前記縦方向の一方へ斜めに向って本体部から延出する内腕部と、該内腕部の先端に接続された曲部と、前記縦方向の他方へ斜めに向って前記曲部から接触部まで延出する外腕部とを含み、前記接触部が前記横方向及び縦方向と直交する上下方向の力を受けると、前記曲部が対応する当接部に当接する。
【００１６】
更に他のソケットにおいては、さらに、前記曲部の前記対応する当接部と反対側には、前記内腕部、曲部及び外腕部に周囲を画定された腕曲空間部が形成され、該腕曲空間部内に前記縦方向の他方側に隣接する接触腕部の曲部に対応する当接部が収容される。
【発明の効果】
【００１７】
本開示によれば、ソケットは、端子から受ける力が蓄積されて大きくなることがない。したがって、ソケットの構造を簡素化し、コストを低減し、耐久性を向上させることができる。
【図面の簡単な説明】
【００１８】
【図１】本実施の形態におけるソケットと接続対象装置とを示す分解組立図である。
【図２】本実施の形態におけるソケットの初期状態を示す斜視図である。
【図３】本実施の形態における端子ユニットアセンブリの斜視図である。
【図４】本実施の形態における端子ユニットアセンブリの上面図である。
【図５】本実施の形態における第１端子ユニットの斜視図である。
【図６】本実施の形態における第１端子ユニットの側面図である。
【図７】本実施の形態における第２端子ユニットの斜視図である。
【図８】本実施の形態における第２端子ユニットの側面図である。
【図９】本実施の形態におけるソケットの第１端子ユニットの動作を説明する断面図であって図２におけるＡ−Ａ矢視断面図である。
【図１０】本実施の形態におけるソケットの第２端子ユニットの動作を説明する断面図であって図２におけるＢ−Ｂ矢視断面図である。
【図１１】従来のソケットの要部断面図である。
【発明を実施するための形態】
【００１９】
以下、本実施の形態について図面を参照しながら詳細に説明する。
【００２０】
図１は本実施の形態におけるソケットと接続対象装置とを示す分解組立図、図２は本実施の形態におけるソケットの初期状態を示す斜視図である。
【００２１】
図において、１は本実施の形態におけるソケットであり、複数の端子６１を含む端子ユニット３０が複数集合した端子ユニットアセンブリ２０と、該端子ユニットアセンブリ２０を保持する枠部材１１とを有する。図に示される例において、端子ユニットアセンブリ２０は２０個の端子ユニット３０を含み、各端子ユニット３０は１０個の端子６１を含んでいるが、端子ユニットアセンブリ２０が含む端子ユニット３０の数、及び、各端子ユニット３０が含む端子６１の数は、適宜変更することができる。
【００２２】
前記枠部材１１は、平面視における形状、すなわち、Ｘ−Ｙ平面における形状が概略矩形のアセンブリ収容凹部１２の周囲を画定するＸ−Ｙ平面における外側形状が概略矩形の平板状の部材であり、合成樹脂等の絶縁性材料によって一体的に形成された上枠部材１１ａ及び下枠部材１１ｂを有する。そして、端子ユニットアセンブリ２０がアセンブリ収容凹部１２内に収容された状態で、ソケット１は、Ｘ−Ｙ平面における形状が概略矩形の厚板状の外形を有し、上面（Ｚ軸正方向面）及び下面（Ｚ軸負方向面）は、互いに平行な平坦面となっている。
【００２３】
また、ソケット１の初期状態、すなわち、ソケット１が第１の接続対象装置１０１及び第２の接続対象装置２０１の接続に使用されておらず、端子６１等に外力が付与されていない状態において、ソケット１の上面及び下面からは、各端子６１の接触部６４が突出している。そして、ソケット１は、その下面がソケット１の下方（Ｚ軸負方向）に配設された第１の接続対象装置１０１の上面に押付けられ、その上面がソケット１の上方（Ｚ軸正方向）に配設された第２の接続対象装置２０１の下面に押付けられ、接触部６４が第１の接続対象装置１０１の上面に配設された相手方端子１６１及び第２の接続対象装置２０１の下面に配設された図示されない相手方端子と接触する。なお、ソケット１の上面には、前記第１の接続対象装置１０１及び第２の接続対象装置２０１との位置決めのための円柱状の図示されないガイド部材を挿入するガイド孔１３が形成されている。
【００２４】
前記第１の接続対象装置１０１及び第２の接続対象装置２０１は、例えば、一方がＩＣ、ＬＳＩ等の半導体装置であって、他方が半導体検査装置の検査用回路基板であるが、少なくとも一面に接触部６４と接触して導通可能な平坦な端子を備えるものであれば、いかなる種類の電気装置又は電子装置であってもよいし、その回路基板であってもよく、例えば、コンピュータ、テレビ、ゲーム機、カメラ、ナビゲーション装置等の電子装置におけるマザーボード、ドーターボード等の配線回路基板であってもよい。
【００２５】
なお、本実施の形態において、ソケット１及びその他の部材に含まれる各部の構成及び動作を説明するために使用される上、下、左、右、前、後等の方向を示す表現は、絶対的なものでなく相対的なものであり、ソケット１及びその他の部材に含まれる各部が図に示される姿勢である場合に適切であるが、ソケット１及びその他の部材に含まれる各部の姿勢が変化した場合には、姿勢の変化に応じて変更して解釈されるべきものである。
【００２６】
次に、前記端子ユニットアセンブリ２０の構成について詳細に説明する。
【００２７】
図３は本実施の形態における端子ユニットアセンブリの斜視図、図４は本実施の形態における端子ユニットアセンブリの上面図、図５は本実施の形態における第１端子ユニットの斜視図、図６は本実施の形態における第１端子ユニットの側面図、図７は本実施の形態における第２端子ユニットの斜視図、図８は本実施の形態における第２端子ユニットの側面図である。
【００２８】
本実施の形態において、縦方向（Ｘ軸方向）に延在する端子ユニット３０は、第１端子ユニット３０Ａと第２端子ユニット３０Ｂとを有し、端子ユニットアセンブリ２０においては、第１端子ユニット３０Ａと第２端子ユニット３０Ｂとが交互に横方向（Ｙ軸方向）に並んでいる。なお、描画の都合上、図３及び４には、図１及び２に示される端子ユニットアセンブリ２０の一部のみが示されている。
【００２９】
図５及び６に示されるように、第１端子ユニット３０Ａは、合成樹脂等の絶縁性材料によって一体的に形成された縦方向に延在する第１端子保持部２１Ａと、合成樹脂等の絶縁性材料によって一体的に形成された縦方向に延在する第１側壁部３１Ａと、導電性のばね性を有する金属板から成り、前記第１端子保持部２１Ａによって保持される複数（図に示される例においては、１０個）の第１端子６１Ａとを有する。前記第１端子保持部２１Ａと第１側壁部３１Ａとは、Ｙ軸方向に互いに隣接するように配設されている。
【００３０】
前記第１端子保持部２１Ａは、縦方向に延在する細長い第１梁部２２Ａと、該第１梁部２２Ａの長手方向両端に接続された第１係止部２５Ａとを含んでいる。該第１係止部２５Ａは、下枠部材１１ｂに係止される部分であり、さらに、その下面（Ｚ軸負方向面）には、第１内側面２４Ａを有する第１係止凹部２６Ａが形成されている。なお、前記第１係止部２５Ａの端部の横方向（Ｙ軸方向）の寸法、すなわち、厚さは、第１梁部２２Ａの厚さと第１側壁部３１Ａの厚さとの合計とほぼ等しくなるように設定されることが望ましい。また、前記第１梁部２２Ａには、上下方向（Ｚ軸方向）に延在する細長いスリット状の第１端子保持溝部２３Ａが、例えば、約０．８〔ｍｍ〕のピッチで、複数（図に示される例においては、１０個）形成されている。
【００３１】
前記第１側壁部３１Ａは、Ｘ−Ｚ平面に延在する概略矩形の板部材であり、主として第１梁部２２Ａより上方に位置する部分である第１上壁部３２Ａと、主として第１梁部２２Ａより下方に位置する部分である第１下壁部３３Ａとを含んでいる。そして、前記第１上壁部３２Ａ及び第１下壁部３３Ａにおける第１端子保持部２１Ａ側（Ｙ軸負方向側）の側面には、第１端子６１Ａからの反力を受ける第１当接部３４Ａが、例えば、約０．８〔ｍｍ〕のピッチで、それぞれ、複数（図に示される例においては、１０個）形成されている。前記第１当接部３４Ａは、前記第１上壁部３２Ａ及び第１下壁部３３Ａの側面から突出するように一体的に形成された凸状部材であって、後側（Ｘ軸負方向側）の面が第１端子６１Ａに当接する第１当接面３５Ａとなっている。なお、前記第１当接部３４Ａは、第１上壁部３２Ａ又は第１下壁部３３Ａのいずれかのみに形成されていてもよいが、ここでは、第１上壁部３２Ａ及び第１下壁部３３Ａの両方に形成されている例についてのみ説明する。
【００３２】
そして、前記第１上壁部３２Ａと第１下壁部３３Ａとは、縦方向（Ｘ軸方向）の寸法が第１上壁部３２Ａの方が第１下壁部３３Ａより大きい、すなわち、当接面としての前後の第１上縦面３７Ａ同士間の距離が第１下縦面３８Ａ同士間の距離より大きい点を除いて、同一の寸法及び形状を有する。また、前記第１上壁部３２Ａにおける第１当接部３４Ａの配置形態と第１下壁部３３Ａにおける第１当接部３４Ａの配置形態とは、第１側壁部３１Ａの上下方向の中心を前後に延在する対称軸を中心として、上下対称となっている。
【００３３】
前記第１端子６１Ａは、金属板に打抜き、曲げ等の加工を施して形成された全体として細長い帯状の形状を有する板部材であり、前記第１端子保持溝部２３Ａに保持される上下方向に延在する第１本体部６２Ａと、該第１本体部６２Ａの両端に接続された一対の第１接触腕部６３Ａと、各第１接触腕部６３Ａの先端に形成された湾曲した第１接触部６４Ａとを含んでいる。各第１接触腕部６３Ａは、第１本体部６２Ａから斜め前方に向いて延出する第１内腕部６６Ａと、該第１内腕部６６Ａの先端に接続された第１曲部６７Ａと、該第１曲部６７Ａから斜め後方に向いて延出し、自由端に前記第１接触部６４Ａが形成された第１外腕部６８Ａとを含んでいる。なお、前記第１曲部６７Ａは、仔細に観ると、直線部と該直線部の両端に接続された曲部とを含み、前記直線部が第１当接部３４Ａに当接するようになっている。前記第１端子６１ＡのＸ−Ｚ平面における形状は、概略Ｗ字状であって、第１側壁部３１Ａの上下方向の中心を前後に延在する対称軸を中心として、上下対称となっている。
【００３４】
複数の第１端子６１Ａは、図６に示されるように、前後方向に並ぶように配列され、隣接する第１端子６１Ａの第１本体部６２Ａ同士、第１内腕部６６Ａ同士、第１曲部６７Ａ同士、及び、第１外腕部６８Ａ同士は、互いに間隔を空けて、平行になっている。そして、第１端子６１Ａに外力が付与されていない初期状態において、各第１端子６１Ａの第１曲部６７Ａは、対応する第１当接部３４Ａ（当該第１曲部６７Ａの前側（Ｘ軸正方向側）に位置する第１当接部３４Ａ）の第１当接面３５Ａに当接していない。なお、各第１端子６１Ａの第１曲部６７Ａの後側には、第１内腕部６６Ａ、第１曲部６７Ａ及び第１外腕部６８Ａによって周囲を画定された第１腕曲空間部６５Ａが形成されていて、該第１腕曲空間部６５Ａには、当該第１端子６１Ａの後側に隣接する第１端子６１Ａの第１曲部６７Ａに対応する第１当接部３４Ａが収容されている。また、初期状態においては、各第１接触部６４Ａと第１外腕部６８Ａの一部とは、第１端子ユニット３０Ａの上面である第１上壁部３２Ａの第１上面２８Ａ、及び、第１端子ユニット３０Ａの下面である第１下壁部３３Ａの第１下面２９Ａよりも、上方及び下方に突出している。
【００３５】
図７及び８に示されるように、第２端子ユニット３０Ｂは、合成樹脂等の絶縁性材料によって一体的に形成された縦方向に延在する第２端子保持部２１Ｂと、合成樹脂等の絶縁性材料によって一体的に形成された縦方向に延在する第２側壁部３１Ｂと、導電性のばね性を有する金属板から成り、前記第２端子保持部２１Ｂによって保持される複数（図に示される例においては、１０個）の第２端子６１Ｂとを有する。前記第２端子保持部２１Ｂと第２側壁部３１Ｂとは、Ｙ軸方向に互いに隣接するように配設されている。
【００３６】
前記第２端子保持部２１Ｂは、縦方向に延在する細長い第２梁部２２Ｂと、該第２梁部２２Ｂの長手方向両端に接続された第２係止部２５Ｂとを含んでいる。該第２係止部２５Ｂは、下枠部材１１ｂに係止される部分であり、さらに、その下面（Ｚ軸負方向面）には、第２内側面２４Ｂを有する第２係止凹部２６Ｂが形成されている。なお、前記第２係止部２５Ｂの端部の横方向（Ｙ軸方向）の寸法、すなわち、厚さは、第２梁部２２Ｂの厚さと第２側壁部３１Ｂの厚さとの合計とほぼ等しくなるように設定されることが望ましい。また、前記第２梁部２２Ｂには、上下方向（Ｚ軸方向）に延在する細長いスリット状の第２端子保持溝部２３Ｂが、例えば、約０．８〔ｍｍ〕のピッチで、複数（図に示される例においては、１０個）形成されている。
【００３７】
前記第２側壁部３１Ｂは、Ｘ−Ｚ平面に延在する概略矩形の板部材であり、主として第２梁部２２Ｂより上方に位置する部分である第２上壁部３２Ｂと、主として第２梁部２２Ｂより下方に位置する部分である第２下壁部３３Ｂとを含んでいる。そして、前記第２上壁部３２Ｂ及び第２下壁部３３Ｂにおける第２端子保持部２１Ｂ側（Ｙ軸負方向側）の側面には、第２端子６１Ｂからの反力を受ける第２当接部３４Ｂが、例えば、約０．８〔ｍｍ〕のピッチで、それぞれ、複数（図に示される例においては、１０個）形成されている。前記第２当接部３４Ｂは、前記第２上壁部３２Ｂ及び第２下壁部３３Ｂの側面から突出するように一体的に形成された凸状部材であって、前側（Ｘ軸正方向側）の面が第２端子６１Ｂに当接する第２当接面３５Ｂとなっている。なお、前記第２当接部３４Ｂは、第２上壁部３２Ｂ又は第２下壁部３３Ｂのいずれかのみに形成されていてもよいが、ここでは、第２上壁部３２Ｂ及び第２下壁部３３Ｂの両方に形成されている例についてのみ説明する。
【００３８】
そして、前記第２上壁部３２Ｂと第２下壁部３３Ｂとは、縦方向（Ｘ軸方向）の寸法が第２上壁部３２Ｂの方が第２下壁部３３Ｂより大きい、すなわち、当接面としての前後の第２上縦面３７Ｂ同士間の距離が第２下縦面３８Ｂ同士間の距離より大きい点を除いて、同一の寸法及び形状を有する。また、前記第２上壁部３２Ｂにおける第２当接部３４Ｂの配置形態と第２下壁部３３Ｂにおける第２当接部３４Ｂの配置形態とは、第２側壁部３１Ｂの上下方向の中心を前後に延在する対称軸を中心として、上下対称となっている。
【００３９】
前記第２端子６１Ｂは、金属板に打抜き、曲げ等の加工を施して形成された全体として細長い帯状の形状を有する板部材であり、前記第２端子保持溝部２３Ｂに保持される上下方向に延在する第２本体部６２Ｂと、該第２本体部６２Ｂの両端に接続された一対の第２接触腕部６３Ｂと、各第２接触腕部６３Ｂの先端に形成された湾曲した第２接触部６４Ｂとを含んでいる。各第２接触腕部６３Ｂは、第２本体部６２Ｂから斜め後方に向いて延出する第２内腕部６６Ｂと、該第２内腕部６６Ｂの先端に接続された第２曲部６７Ｂと、該第２曲部６７Ｂから斜め前方に向いて延出し、自由端に前記第２接触部６４Ｂが形成された第２外腕部６８Ｂとを含んでいる。なお、前記第２曲部６７Ｂは、仔細に観ると、直線部と該直線部の両端に接続された曲部とを含み、前記直線部が第２当接部３４Ｂに当接するようになっている。前記第２端子６１ＢのＸ−Ｚ平面における形状は、概略Ｗ字状であって、第２側壁部３１Ｂの上下方向の中心を前後に延在する対称軸を中心として、上下対称となっている。
【００４０】
複数の第２端子６１Ｂは、図８に示されるように、前後方向に並ぶように配列され、隣接する第２端子６１Ｂの第２本体部６２Ｂ同士、第２内腕部６６Ｂ同士、第２曲部６７Ｂ同士、及び、第２外腕部６８Ｂ同士は、互いに間隔を空けて、平行になっている。そして、第２端子６１Ｂに外力が付与されていない初期状態において、各第２端子６１Ｂの第２曲部６７Ｂは、対応する第２当接部３４Ｂ（当該第２曲部６７Ｂの後側（Ｘ軸負方向側）に位置する第２当接部３４Ｂ）の第２当接面３５Ｂに当接していない。なお、各第２端子６１Ｂの第２曲部６７Ｂの前側には、第２内腕部６６Ｂ、第２曲部６７Ｂ及び第２外腕部６８Ｂによって周囲を画定された第２腕曲空間部６５Ｂが形成されていて、該第２腕曲空間部６５Ｂには、当該第２端子６１Ｂの前側に隣接する第２端子６１Ｂの第２曲部６７Ｂに対応する第２当接部３４Ｂが収容されている。また、初期状態においては、各第２接触部６４Ｂと第２外腕部６８Ｂの一部とは、第２端子ユニット３０Ｂの上面である第２上壁部３２Ｂの第２上面２８Ｂ、及び、第２端子ユニット３０Ｂの下面である第２下壁部３３Ｂの第２下面２９Ｂよりも、上方及び下方に突出している。
【００４１】
なお、第１端子ユニット３０Ａと第２端子ユニット３０Ｂとを統合的に説明する場合、及び、第１端子ユニット３０Ａの各部と第２端子ユニット３０Ｂの各部とを統合的に説明する場合には、語「第１」及び「第２」、並びに、符号「Ａ」及び「Ｂ」を除去して説明するものとする。
【００４２】
次に、前記構成のソケット１が第１の接続対象装置１０１及び第２の接続対象装置２０１の接続に使用された場合の各部の動作について説明する。
【００４３】
図９は本実施の形態におけるソケットの第１端子ユニットの動作を説明する断面図であって図２におけるＡ−Ａ矢視断面図、図１０は本実施の形態におけるソケットの第２端子ユニットの動作を説明する断面図であって図２におけるＢ−Ｂ矢視断面図である。
【００４４】
端子ユニットアセンブリ２０がアセンブリ収容凹部１２内に収容された状態において、端子ユニット３０が有する端子保持部２１の係止部２５は、上枠部材１１ａに形成された上係止凹部１４ａ及び下枠部材１１ｂに形成された下係止凹部１４ｂ内に進入し、前記係止部２５の下面に形成された係止凹部２６が下枠部材１１ｂの下面に形成された係止凸部１５ｂに係止される。なお、仔細に観ると、第１端子ユニット３０Ａにおいては、第１係止凹部２６Ａの内側に形成された第１内側面２４Ａが係止凸部１５ｂの内側面に当接し、第２端子ユニット３０Ｂにおいては、第２係止凹部２６Ｂの内側に形成された第２内側面２４Ｂが係止凸部１５ｂの内側面に当接する。これにより、第１端子ユニット３０Ａと第２端子ユニット３０Ｂの過度な変位が防止され、端子保持部２１が枠部材１１に係止されて保持される。したがって、端子保持部２１は、下枠部材１１ｂに対して前後方向に位置決めされるが、上枠部材１１ａに対して前後方向に変位可能となっている。
【００４５】
前記アセンブリ収容凹部１２においては、上枠部材１１ａに形成された部分である上アセンブリ収容凹部１２ａの縦方向（Ｘ軸方向）の寸法は、下枠部材１１ｂに形成された部分である下アセンブリ収容凹部１２ｂの縦方向の寸法より大きい、すなわち、前後の上縦壁面１６ａ同士間の距離は、下縦壁面１６ｂ同士間の距離より大きい。また、前記上縦壁面１６ａ同士間の距離は側壁部３１の上縦面３７同士間の距離より大きく、前記下縦壁面１６ｂ同士間の距離は側壁部３１の下縦面３８同士間の距離よりは大きいが、上縦面３７同士間の距離より小さい。したがって、端子ユニットアセンブリ２０がアセンブリ収容凹部１２内に収容された状態において、端子ユニット３０が有する側壁部３１の上壁部３２は上アセンブリ収容凹部１２ａ内に収容され、下壁部３３は下アセンブリ収容凹部１２ｂ内に収容され、かつ、上壁部３２の下面の少なくとも一部が下枠部材１１ｂの上面の少なくとも一部によって支持され、これにより、側壁部３１が枠部材１１に係止されて保持される。なお、図９及び１０に示されるように、互いに対向する上縦面３７と上縦壁面１６ａとの間隔は、互いに対向する下縦面３８と下縦壁面１６ｂとの間隔よりも小さく設定されているので、側壁部３１の枠部材１１に対する前後方向の位置決めは、主として上壁部３２と上枠部材１１ａとによって行われ、下壁部３３は、下枠部材１１ｂに対して前後方向に変位可能となっている。
【００４６】
そして、ソケット１が第１の接続対象装置１０１及び第２の接続対象装置２０１の接続に使用されると、その下面がソケット１の下方に配設された第１の接続対象装置１０１の上面に押付けられ、その上面がソケット１の上方に配設された第２の接続対象装置２０１の下面に押付けられる。これにより、ソケット１の下面から下方に突出した接触部６４は、第１の接続対象装置１０１の上面に配設された相手方端子１６１と接触し、該相手方端子１６１によって上方に押圧されて上方に変位させられる。同様に、ソケット１の上面から上方に突出した接触部６４は、第２の接続対象装置２０１の下面に配設された図示されない相手方端子と接触し、該相手方端子によって下方に押圧されて下方に変位させられる。
【００４７】
図９に示される第１端子ユニット３０Ａの第１端子６１Ａにおいて、上方に突出した第１接触部６４Ａが下方に押圧されて下方に変位させられると、第１曲部６７Ａは前方に変位して、対応する第１当接部３４Ａの第１当接面３５Ａに当接する。すると、第１曲部６７Ａの前方への変位は停止させられる。そして、第１接触部６４Ａが更に下方に押圧されて下方に変位させられると、第１外腕部６８Ａは、停止している第１曲部６７Ａを中心に反時計回り方向に回転し、これにより、第１接触部６４Ａは、下方に変位しながらも後方に変位するので、第２の接続対象装置２０１の相手方端子の表面と擦り合ってワイピング効果を発揮する。また、下方に突出した第１接触部６４Ａが上方に押圧されて上方に変位させられると、第１曲部６７Ａは前方に変位して、対応する第１当接部３４Ａの第１当接面３５Ａに当接する。すると、第１曲部６７Ａの前方への変位は停止させられる。そして、第１接触部６４Ａが更に上方に押圧されて上方に変位させられると、第１外腕部６８Ａは、停止している第１曲部６７Ａを中心に時計回り方向に回転し、これにより、第１接触部６４Ａは、上方に変位しながらも後方に変位するので、第１の接続対象装置１０１の相手方端子１６１の表面と擦り合ってワイピング効果を発揮する。
【００４８】
なお、上方に突出した第１接触部６４Ａが下方に押圧されて下方に変位させられると、第１曲部６７Ａは、前方への変位が停止させられていても下方への力を受けて下方に変位させられるので、第１本体部６２Ａは、第１内腕部６６Ａを介して、後方へ向う力を受けることとなる。同様に、下方に突出した第１接触部６４Ａが上方に押圧されて上方に変位させられると、第１曲部６７Ａは、前方への変位が停止させられていても上方への力を受けて上方に変位させられるので、第１本体部６２Ａは、第１内腕部６６Ａを介して、後方へ向う力を受けることとなる。したがって、第１端子保持部２１Ａは、すべての第１端子６１Ａから後方へ向う力を受けるが、第１係止部２５Ａの第１係止凹部２６Ａが下枠部材１１ｂの係止凸部１５ｂに係止されているので、枠部材１１に対して後方へ変位することがない。後方へ向う力は、下枠部材１１ｂによって受止められる。
【００４９】
また、第１当接部３４Ａが第１曲部６７Ａによって前方へ向う力を受けるので、第１側壁部３１Ａは、すべての第１曲部６７Ａから前方へ向う力を受けるが、第１上壁部３２Ａの当接面である第１上縦面３７Ａが上枠部材１１ａの上縦壁面１６ａに当接するので、枠部材１１に対して前方へ変位することがない。前方へ向う力は、上枠部材１１ａによって受止められる。
【００５０】
図１０に示される第２端子ユニット３０Ｂの第２端子６１Ｂにおいて、上方に突出した第２接触部６４Ｂが下方に押圧されて下方に変位させられると、第２曲部６７Ｂは後方に変位して、対応する第２当接部３４Ｂの第２当接面３５Ｂに当接する。すると、第２曲部６７Ｂの後方への変位は停止させられる。そして、第２接触部６４Ｂが更に下方に押圧されて下方に変位させられると、第２外腕部６８Ｂは、停止している第２曲部６７Ｂを中心に時計回り方向に回転し、これにより、第２接触部６４Ｂは、下方に変位しながらも前方に変位するので、第２の接続対象装置２０１の相手方端子の表面と擦り合ってワイピング効果を発揮する。また、下方に突出した第２接触部６４Ｂが上方に押圧されて上方に変位させられると、第２曲部６７Ｂは後方に変位して、対応する第２当接部３４Ｂの第２当接面３５Ｂに当接する。すると、第２曲部６７Ｂの後方への変位は停止させられる。そして、第２接触部６４Ｂが更に上方に押圧されて上方に変位させられると、第２外腕部６８Ｂは、停止している第２曲部６７Ｂを中心に反時計回り方向に回転し、これにより、第２接触部６４Ｂは、上方に変位しながらも前方に変位するので、第１の接続対象装置１０１の相手方端子１６１の表面と擦り合ってワイピング効果を発揮する。
【００５１】
なお、上方に突出した第２接触部６４Ｂが下方に押圧されて下方に変位させられると、第２曲部６７Ｂは、後方への変位が停止させられていても下方への力を受けて下方に変位させられるので、第２本体部６２Ｂは、第２内腕部６６Ｂを介して、前方へ向う力を受けることとなる。同様に、下方に突出した第２接触部６４Ｂが上方に押圧されて上方に変位させられると、第２曲部６７Ｂは、後方への変位が停止させられていても上方への力を受けて上方に変位させられるので、第２本体部６２Ｂは、第２内腕部６６Ｂを介して、前方へ向う力を受けることとなる。したがって、第２端子保持部２１Ｂは、すべての第２端子６１Ｂから前方へ向う力を受けるが、第２係止部２５Ｂの第２係止凹部２６Ｂが下枠部材１１ｂの係止凸部１５ｂに係止されているので、枠部材１１に対して前方へ変位することがない。前方へ向う力は、下枠部材１１ｂによって受止められる。
【００５２】
また、第２当接部３４Ｂが第２曲部６７Ｂによって後方へ向う力を受けるので、第２側壁部３１Ｂは、すべての第２曲部６７Ｂから後方へ向う力を受けるが、第２上壁部３２Ｂの当接面である第２上縦面３７Ｂが上枠部材１１ａの上縦壁面１６ａに当接するので、枠部材１１に対して後方へ変位することがない。後方へ向う力は、上枠部材１１ａによって受止められる。
【００５３】
このように、第１端子ユニット３０Ａにおいては、第１端子保持部２１Ａが第１端子６１Ａから後方へ向う力を受け、かかる後方へ向う力は、結局、下枠部材１１ｂによって受止められ、第１側壁部３１Ａが第１端子６１Ａから前方へ向う力を受け、かかる前方へ向う力は、結局、上枠部材１１ａによって受止められる。一方、第１端子ユニット３０Ａに隣接する第２端子ユニット３０Ｂにおいては、第２端子保持部２１Ｂが第２端子６１Ｂから前方へ向う力を受け、かかる前方へ向う力は、結局、下枠部材１１ｂによって受止められ、第２側壁部３１Ｂが第２端子６１Ｂから後方へ向う力を受け、かかる後方へ向う力は、結局、上枠部材１１ａによって受止められる。つまり、下枠部材１１ｂは、交互にＹ軸方向に並んでいる第１端子ユニット３０Ａ及び第２端子ユニット３０Ｂの第１端子保持部２１Ａ及び第２端子保持部２１ＢからＸ軸負方向及びＸ軸正方向の力を受け、上枠部材１１ａは、交互にＹ軸方向に並んでいる第１端子ユニット３０Ａ及び第２端子ユニット３０Ｂの第１側壁部３１Ａ及び第２側壁部３１ＢからＸ軸正方向及びＸ軸負方向の力を受けるようになっている。したがって、上枠部材１１ａの各部及び下枠部材１１ｂの各部が受ける力は、互いに反対方向であるので、相殺される。これにより、上枠部材１１ａの各部及び下枠部材１１ｂの各部、並びに、上枠部材１１ａと下枠部材１１ｂとが組合された枠部材１１の各部は、大きな力を受けることがなく、変形したり、破損したりすることがない。
【００５４】
なお、前述のように、ばねとして機能する端子６１の接触腕部６３は、内腕部６６、曲部６７及び外腕部６８を含み、本体部６２から接触部６４まで略Ｖ字状の長いばね長さを有するので、高い柔軟性を発揮し、かつ、ばねとしての変形範囲が広くなっている。したがって、接触腕部６３の先端に位置する接触部６４は、ばね性を失わずに上下方向に大きく柔軟に変位することができ、しかも、ばねの反力によって、相手方端子の表面との接触及び導通状態を維持することができる。
【００５５】
このように、本実施の形態において、ソケット１は、縦方向に延在する端子ユニット３０が縦方向と直交する横方向に複数並んだ端子ユニットアセンブリ２０と、端子ユニットアセンブリ２０を収容するアセンブリ収容凹部１２を含む枠部材１１とを備え、端子ユニット３０は、縦方向に延在する端子保持部２１と、端子保持部２１に保持される本体部６２、端子ユニット３０の上面２８よりも上方又は下面２９よりも下方に突出する接触部６４及び本体部６２と接触部６４とを連結する接触腕部６３を含む複数の端子６１と、縦方向に延在する側壁部３１であって、接触腕部６３と当接可能な複数の当接部３４を有し、端子保持部２１の横方向に隣接して配設された側壁部３１とを含み、接触部６４が横方向及び縦方向と直交する上下方向の力を受けると、側壁部３１は縦方向の一方へ向いた力を受け、端子保持部２１は縦方向の他方へ向いた力を受ける。
【００５６】
これにより、枠部材１１が、端子ユニット３０から受ける力は、互いに反対方向であり、相殺されて大きくなることがない。したがって、ソケット１の構造を簡素化することができ、コストを低減することができ、耐久性を向上させることができる。
【００５７】
また、横方向に隣接して並んだ一対の端子ユニット３０において、第１端子ユニット３０Ａの第１側壁部３１Ａが縦方向の一方へ向いた力を受け、第１端子ユニット３０Ａの第１端子保持部２１Ａが縦方向の他方へ向いた力を受けると、第２端子ユニット３０Ｂの第２側壁部３１Ｂは縦方向の他方へ向いた力を受け、第２端子ユニット３０Ｂの第２端子保持部２１Ｂが縦方向の一方へ向いた力を受ける。このように、互いに隣接する第１端子ユニット３０Ａと第２端子ユニット３０Ｂとでは、側壁部３１同士が互いに反対方向の力を受け、端子保持部２１同士が互いに反対方向の力を受けるので、枠部材１１の各部は、大きな力を受けることがなく、変形したり、破損したりすることがない。
【００５８】
さらに、端子保持部２１の両端には、枠部材１１に係止される係止部２５が形成され、側壁部３１の両端には、枠部材１１に当接する上縦面３７が形成され、端子保持部２１が受ける縦方向の力、及び、側壁部３１が受ける縦方向の力は、枠部材１１によって受止められる。したがって、端子ユニット３０の枠部材１１に対する位置決めが確実に行われ、各端子６１の位置決めも確実に行われる。
【００５９】
さらに、枠部材１１は、上枠部材１１ａ及び下枠部材１１ｂを含み、端子保持部２１が受ける縦方向の力は下枠部材１１ｂによって受止められ、側壁部３１が受ける縦方向の力は上枠部材１１ａによって受止められる。したがって、上枠部材１１ａの各部及び下枠部材１１ｂの各部が受ける力は、互いに反対方向であるので、相殺される。
【００６０】
さらに、接触腕部６３は、縦方向の一方へ斜めに向って本体部６２から延出する内腕部６６と、内腕部６６の先端に接続された曲部６７と、縦方向の他方へ斜めに向って曲部６７から接触部６４まで延出する外腕部６８とを含み、接触部６４が横方向及び縦方向と直交する上下方向の力を受けると、曲部６７が対応する当接部３４に当接する。これにより、曲部６７の縦方向への変位は停止させられ、当接部３４は縦方向の力を受ける。
【００６１】
さらに、曲部６７の対応する当接部３４と反対側には、内腕部６６、曲部６７及び外腕部６８に周囲を画定された腕曲空間部６５が形成され、腕曲空間部６５内に縦方向の他方側に隣接する接触腕部６３の曲部６７に対応する当接部３４が収容される。したがって、当接部３４を短いピッチで複数形成することができる。
【００６２】
さらに、曲部６７が対応する当接部３４に当接すると、接触部６４は、縦方向にも変位する。したがって、接触部６４は、相手方端子の表面と擦り合ってワイピング効果を発揮する。
【００６３】
なお、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００６４】
本開示は、ソケットに適用することができる。
【符号の説明】
【００６５】
１    ソケット
１１    枠部材
１１ａ    上枠部材
１１ｂ    下枠部材
１２    アセンブリ収容凹部
１２ａ    上アセンブリ収容凹部
１２ｂ    下アセンブリ収容凹部
１３    ガイド孔
１４ａ    上係止凹部
１４ｂ    下係止凹部
１５ｂ    係止凸部
１６ａ    上縦壁面
１６ｂ    下縦壁面
２０    端子ユニットアセンブリ
２１Ａ    第１端子保持部
２１Ｂ    第２端子保持部
２２Ａ    第１梁部
２２Ｂ    第２梁部
２３Ａ    第１端子保持溝部
２３Ｂ    第２端子保持溝部
２４Ａ    第１内側面
２４Ｂ    第２内側面
２５Ａ    第１係止部
２５Ｂ    第２係止部
２６Ａ    第１係止凹部
２６Ｂ    第２係止凹部
２８Ａ    第１上面
２８Ｂ    第２上面
２９Ａ    第１下面
２９Ｂ    第２下面
３０    端子ユニット
３０Ａ    第１端子ユニット
３０Ｂ    第２端子ユニット
３１Ａ    第１側壁部
３１Ｂ    第２側壁部
３２Ａ    第１上壁部
３２Ｂ    第２上壁部
３３Ａ    第１下壁部
３３Ｂ    第２下壁部
３４Ａ    第１当接部
３４Ｂ    第２当接部
３５Ａ    第１当接面
３５Ｂ    第２当接面
３７Ａ    第１上縦面
３７Ｂ    第２上縦面
３８Ａ    第１下縦面
３８Ｂ    第２下縦面
６１、８６１    端子
６１Ａ    第１端子
６１Ｂ    第２端子
６２Ａ    第１本体部
６２Ｂ    第２本体部
６３Ａ    第１接触腕部
６３Ｂ    第２接触腕部
６４    接触部
６４Ａ、８６４ａ    第１接触部
６４Ｂ、８６２ａ    第２接触部
６５Ａ    第１腕曲空間部
６５Ｂ    第２腕曲空間部
６６Ａ    第１内腕部
６６Ｂ    第２内腕部
６７Ａ    第１曲部
６７Ｂ    第２曲部
６８Ａ    第１外腕部
６８Ｂ    第２外腕部
１０１    第１の接続対象装置
１６１    相手方端子
２０１    第２の接続対象装置
８１１    ハウジング
８１３    端子収容室
８１４    傾斜壁
８１５    段部
８１６    側壁
８６２    第２腕部
８６３    円弧状部
８６４    第１腕部
【図１】
2019009030.tif 000003
【図２】
2019009030.tif 000004
【図３】
2019009030.tif 000005
【図４】
2019009030.tif 000006
【図５】
2019009030.tif 000007
【図６】
2019009030.tif 000008
【図７】
2019009030.tif 000009
【図８】
2019009030.tif 000010
【図９】
2019009030.tif 000011
【図１０】
2019009030.tif 000012
【図１１】
2019009030.tif 000013